(57)【要約】【課題】飲酒終了後所定時間経過後の予定にアルコールの影響を残さない範囲での飲酒ペースを把握すること。【解決手段】体内でのアルコール分解能Ｄｐを求めるためのデータ、及び飲酒終了から所定時間経過後を開始時刻とするスケジュールを予め登録しておく。飲酒開始でタイマをスタートさせ飲酒時間Ｘｔを計測し、摂取したアルコール飲料の種類及び摂取量を入力し、アルコール摂取量Ｔａを算出する。飲酒時間Ｘｔとアルコール摂取量Ｔａからアルコール摂取ペースＴｐを、直近のスケジュール開始時刻までの時間Ｓｔを算出する。算出した値を、許容飲酒時間ＰＴ＝（Ｄｐ×Ｓｔ）／（Ｔｐ−Ｄｐ）−Ｘｔ、及び残り許容アルコール摂取量ＰＡ＝{Ｄｐ×Ｓｔ×Ｔｐ／（Ｔｐ−Ｄｐ）}−Ｔａへ代入し、算出された許容飲酒時間ＰＴ及び残り許容アルコール摂取量ＰＡを表示する。【選択図】図３
2009150989.tif 000002
【特許請求の範囲】
【請求項１】
体内でのアルコール分解能を示す情報、または該分解能を求めるための情報、飲酒終了から所定時間経過後を開始時刻とするスケジュール、及び飲酒開始からのアルコールまたはアルコール飲料の摂取量を入力するための入力手段と、
前記入力手段により入力された前記分解能、または前記分解能を求めるための情報から求められた分解能と、前記飲酒開始からのアルコールまたはアルコール飲料の摂取量及び飲酒時間から算出したアルコール摂取ペースとに基づいて、前記スケジュールの前記開始時刻までに体内のアルコールの分解を終了するための残り許容アルコール摂取量及び許容飲酒時間の少なくとも一方を算出する算出手段と、
前記算出手段により算出された前記残り許容アルコール摂取量及び前記許容飲酒時間の少なくとも一方を表示するための表示手段と、
を含む飲酒ペース管理装置。
【請求項２】
体内でのアルコール分解能を示す情報、または該分解能を求めるための情報、及び飲酒終了から所定時間経過後を開始時刻とするスケジュールを入力するための入力手段と、
体内のアルコール濃度を検出する検出手段と、
前記検出手段により検出されたアルコール濃度、前記入力手段により入力された前記分解能、または前記分解能を求めるための情報から求められた分解能、及び飲酒時間に基づいて飲酒開始からのアルコール摂取量を換算する換算手段と、
前記入力手段により入力された前記分解能、または前記分解能を求めるための情報から求められた分解能と、前記換算手段により換算された前記飲酒開始からのアルコール摂取量及び飲酒時間から算出したアルコール摂取ペースとに基づいて、前記スケジュールの前記開始時刻までに体内のアルコールの分解を終了するための残り許容アルコール摂取量及び許容飲酒時間の少なくとも一方を算出する算出手段と、
前記算出手段により算出された前記残り許容アルコール摂取量及び前記許容飲酒時間の少なくとも一方を表示するための表示手段と、
を含む飲酒ペース管理装置。
【請求項３】
前記算出手段は、下記計算式に基づいて前記残り許容アルコール摂取量及び前記許容飲酒時間を算出する請求項１または請求項２記載の飲酒ペース管理装置。
許容飲酒時間ＰＴ＝（Ｄｐ×Ｓｔ）／（Ｔｐ−Ｄｐ）−Ｘｔ
残り許容アルコール摂取量ＰＡ＝{Ｄｐ×Ｓｔ×Ｔｐ／（Ｔｐ−Ｄｐ）}−Ｔａ
ただし、Ｄｐは入力された分解能、または求められた分解能、Ｓｔは飲酒開始からスケジュールの開始時刻までの時間、Ｔｐはアルコール摂取ペース、Ｘｔは飲酒開始から残り許容アルコール摂取量及び前記許容飲酒時間の少なくとも一方を算出するまでの時間、Ｔａは飲酒開始からのアルコール摂取量である。
【請求項４】
コンピュータを、
入力手段により入力された体内でのアルコール分解能を示す情報、または該分解能を求めるための情報から求められた分解能と、前記入力手段により入力された飲酒開始からのアルコールまたはアルコール飲料の摂取量及び飲酒時間から算出したアルコール摂取ペースとに基づいて、前記入力手段により入力された飲酒終了から所定時間経過後を開始時刻とするスケジュールの前記開始時刻までに体内のアルコールの分解を終了するための残り許容アルコール摂取量及び許容飲酒時間の少なくとも一方を算出する算出手段と、
前記算出手段により算出された前記残り許容アルコール摂取量及び前記許容飲酒時間の少なくとも一方を表示手段に表示するための手段と、
して機能させるための飲酒ペース管理プログラム。
【請求項５】
コンピュータを、
体内のアルコール濃度を検出する検出手段により検出されたアルコール濃度、入力手段により入力された体内でのアルコール分解能を示す情報、または前記分解能を求めるための情報から求められた分解能、及び飲酒時間に基づいて飲酒開始からのアルコール摂取量を換算する換算手段と、
前記入力手段により入力された前記分解能、または前記分解能を求めるための情報から求められた分解能と、前記換算手段により換算された前記飲酒開始からのアルコール摂取量及び前記入力手段により入力された前記飲酒時間から算出したアルコール摂取ペースとに基づいて、飲酒終了から所定時間経過後を開始時刻とするスケジュールの前記開始時刻までに体内のアルコールの分解を終了するための残り許容アルコール摂取量及び許容飲酒時間の少なくとも一方を算出する算出手段と、
前記算出手段により算出された前記残り許容アルコール摂取量及び前記許容飲酒時間の少なくとも一方を表示手段に表示するための手段と、
して機能させるための飲酒ペース管理プログラム。
【発明の詳細な説明】
【技術分野】
【０００１】
本発明は、飲酒ペース管理装置及びプログラムに関する。
【背景技術】
【０００２】
従来、飲酒運転を防止するために、運転者の呼気中アルコール濃度を検出するなどして、運転者の飲酒の状態を判断し、運転者に対して運転の中止や禁止の警告を行うことが行われている。
【０００３】
例えば、運送事業者等の監督下にある運転手が、携帯電話接続デバイスで運転者の呼気中アルコール量を測定し、監督者側の飲酒運転抑止警告システムへ自動的に送信し、システムで受信したアルコール量のデータと、予めシステムに登録しておいた運転者の運行予定データとに基づいて運転しても良いか否か等の管理規定による監督下運転者指導内容のメールを作成して、メールを運転者の携帯電話接続デバイスへ送信し、運転の中止や禁止の指示を行う飲酒運転抑止警告システムが提案されている（特許文献１）。
【特許文献１】特開２００５−１２２６７３
【発明の開示】
【発明が解決しようとする課題】
【０００４】
しかしながら、従来の飲酒運転抑止警告システムでは、飲酒の判定と運転が同時刻に行われるため、飲酒終了後所定時間が経過していたとしても、判定時に体内に蓄積したアルコールが分解しきれていない場合もあり、その場合には運転の予定を中止しなければならない、という問題がある。また、運転に限らず、体内に蓄積したアルコールが分解しきれず酔いが残った状態では、判断力の低下等により飲酒終了後所定時間が経過後に行う仕事などの重要な場面でミスをしてしまう可能性もある。
【０００５】
本発明は、上記問題を解決すべく成されたもので、飲酒終了後所定時間経過後の予定にアルコールの影響を残さない範囲での飲酒ペースを把握することができる飲酒ペース管理装置及びプログラムを提供することを目的とする。
【課題を解決するための手段】
【０００６】
上記目的を達成するために、本発明の飲酒ペース管理装置は、体内でのアルコール分解能を示す情報、または該分解能を求めるための情報、飲酒終了から所定時間経過後を開始時刻とするスケジュール、及び飲酒開始からのアルコールまたはアルコール飲料の摂取量を入力するための入力手段と、前記入力手段により入力された前記分解能、または前記分解能を求めるための情報から求められた分解能と、前記飲酒開始からのアルコールまたはアルコール飲料の摂取量及び飲酒時間から算出したアルコール摂取ペースとに基づいて、前記スケジュールの前記開始時刻までに体内のアルコールの分解を終了するための残り許容アルコール摂取量及び許容飲酒時間の少なくとも一方を算出する算出手段と、前記算出手段により算出された前記残り許容アルコール摂取量及び前記許容飲酒時間の少なくとも一方を表示するための表示手段と、を含んで構成されている。
【０００７】
本発明の飲酒ペース管理装置によれば、入力手段により、体内でのアルコール分解能を示す情報、または該分解能を求めるための情報、飲酒終了から所定時間経過後を開始時刻とするスケジュール、飲酒開始からのアルコールまたはアルコール飲料の摂取量、及び飲酒時間を入力する。
【０００８】
算出手段は、入力手段により入力された分解能、または分解能を求めるための情報から求められた分解能と、飲酒開始からのアルコールまたはアルコール飲料の摂取量及び飲酒時間から算出したアルコール摂取ペースとに基づいて、スケジュールの開始時刻までに体内のアルコールの分解を終了するための残り許容アルコール摂取量及び許容飲酒時間の少なくとも一方を算出する。飲酒時間は内蔵のタイマで計測することができる。
【０００９】
ここで、アルコールとは、酒類に含まれるエタノールのことで、分解能とは、単位時間当たりに分解できるアルコール量により表される値で、体重に比例し、またお酒に弱い（酔い易い）、強い（酔い難い）等の体質に影響される値である。入力手段により入力する分解能を求めるための情報としては、これらの体重や体質等の情報を用いるのが好ましい。
【００１０】
表示手段は、算出手段により算出された残り許容アルコール摂取量及び許容飲酒時間の少なくとも一方を表示する。
【００１１】
これにより、飲酒終了後所定時間経過後の予定にアルコールの影響を残さない範囲での飲酒ペースを把握することができる。
【００１２】
また、本発明の飲酒ペース管理装置は、体内でのアルコール分解能を示す情報、または該分解能を求めるための情報、及び飲酒終了から所定時間経過後を開始時刻とするスケジュールを入力するための入力手段と、体内のアルコール濃度を検出する検出手段と、前記検出手段により検出されたアルコール濃度、前記入力手段により入力された前記分解能、または前記分解能を求めるための情報から求められた分解能、及び飲酒時間に基づいて飲酒開始からのアルコール摂取量を換算する換算手段と、前記入力手段により入力された前記分解能、または前記分解能を求めるための情報から求められた分解能と、前記換算手段により換算された前記飲酒開始からのアルコール摂取量及び前記入力手段により入力された前記飲酒時間から算出したアルコール摂取ペースとに基づいて、前記スケジュールの前記開始時刻までに体内のアルコールの分解を終了するための残り許容アルコール摂取量及び許容飲酒時間の少なくとも一方を算出する算出手段と、前記算出手段により算出された前記残り許容アルコール摂取量及び前記許容飲酒時間の少なくとも一方を表示するための表示手段と、を含んで構成されている。
【００１３】
本発明の飲酒ペース管理装置によれば、検出手段が体内のアルコール濃度を検出し、換算手段が、検出手段により検出されたアルコール濃度、入力手段により入力された分解能、または分解能を求めるための情報から求められた分解能、及び飲酒時間に基づいて飲酒開始からのアルコール摂取量を換算するため、アルコールまたはアルコール飲料の摂取量を入力手段により入力することなく、アルコール摂取量を求めることができる。
【００１４】
また、本発明の飲酒ペース管理装置の算出手段は、下記計算式に基づいて残り許容アルコール摂取量及び許容飲酒時間を算出することができる。
許容飲酒時間ＰＴ＝（Ｄｐ×Ｓｔ）／（Ｔｐ−Ｄｐ）−Ｘｔ
残り許容アルコール摂取量ＰＡ＝{Ｄｐ×Ｓｔ×Ｔｐ／（Ｔｐ−Ｄｐ）}−Ｔａ
ただし、Ｄｐは入力された分解能、または求められた分解能、Ｓｔは飲酒開始からスケジュールの開始時刻までの時間、Ｔｐはアルコール摂取ペース、Ｘｔは飲酒開始から残り許容アルコール摂取量及び前記許容飲酒時間の少なくとも一方を算出するまでの時間、Ｔａは飲酒開始からのアルコール摂取量である。
【００１５】
また、本発明の飲酒ペース管理プログラムは、コンピュータを、入力手段により入力された体内でのアルコール分解能を示す情報、または該分解能を求めるための情報から求められた分解能と、前記入力手段により入力された飲酒開始からのアルコールまたはアルコール飲料の摂取量及び飲酒時間から算出したアルコール摂取ペースとに基づいて、前記入力手段により入力された飲酒終了から所定時間経過後を開始時刻とするスケジュールの前記開始時刻までに体内のアルコールの分解を終了するための残り許容アルコール摂取量及び許容飲酒時間の少なくとも一方を算出する算出手段と、前記算出手段により算出された前記残り許容アルコール摂取量及び前記許容飲酒時間の少なくとも一方を表示手段に表示するための手段と、して機能させるためのものである。
【００１６】
また、本発明の飲酒ペース管理プログラムは、コンピュータを、体内のアルコール濃度を検出する検出手段により検出されたアルコール濃度、入力手段により入力された体内でのアルコール分解能を示す情報、または前記分解能を求めるための情報から求められた分解能、及び飲酒時間に基づいて飲酒開始からのアルコール摂取量を換算する換算手段と、前記入力手段により入力された前記分解能、または前記分解能を求めるための情報から求められた分解能と、前記換算手段により換算された前記飲酒開始からのアルコール摂取量及び飲酒時間から算出したアルコール摂取ペースとに基づいて、前記入力手段により入力された飲酒終了から所定時間経過後を開始時刻とするスケジュールの前記開始時刻までに体内のアルコールの分解を終了するための残り許容アルコール摂取量及び許容飲酒時間の少なくとも一方を算出する算出手段と、前記算出手段により算出された前記残り許容アルコール摂取量及び前記許容飲酒時間の少なくとも一方を表示手段に表示するための手段と、して機能させるためのものである。
【発明の効果】
【００１７】
以上説明したように本発明によれば、飲酒終了後所定時間経過後の予定にアルコールの影響を残さない範囲での飲酒ペースを把握することができる、という効果が得られる。
【発明を実施するための最良の形態】
【００１８】
以下、図面を参照して本発明の実施の形態を詳細に説明する。
【００１９】
［第１の実施形態］
（第１の実施形態の構成）
図１を参照して、第１の実施形態の飲酒ペース管理装置１０の構成について説明する。
【００２０】
飲酒ペース管理装置１０は、電源スイッチ、表示領域における上・下・左・右の４方向の移動方向を指示するための十字カーソルキー、数字を入力するためのテンキー、及び表示内容を決定するための決定キー等で構成される操作部１２と、ワークエリアとしてデータを一時格納するＲＡＭ（Ｒａｎｄｏｍ  Ａｃｃｅｓｓ  Ｍｅｍｏｒｙ）１４と、飲酒ペース管理装置１０の全体の動作を司るＣＰＵ（Ｃｅｎｔｒａｌ  Ｐｒｏｃｅｓｓｉｎｇ  Ｕｎｉｔ）１６と、後述する残り許容アルコール摂取量及び許容飲酒時間算出のプログラム等を記憶した記憶媒体としてのＲＯＭ（Ｒｅａｄ  Ｏｎｌｙ  Ｍｅｍｏｒｙ）１８と、スケジュールや分解能等を記憶するための記憶手段としてのメモリ２０と、各種入力画面、算出した残り許容アルコール摂取量及び許容飲酒時間等を表示するための液晶ディスプレイ（以下、「ＬＣＤ」という。）２２と、これらを相互に接続するためのバスＢＵＳとを備えている。
【００２１】
（残り許容アルコール摂取量及び許容飲酒時間の算出について）
【００２２】
本実施形態における残り許容アルコール摂取量ＰＡ及び許容飲酒時間ＰＴの算出方法について説明する。
【００２３】
図２は、経過時間ｔとアルコール摂取量及びアルコール蓄積量の関係を示すグラフである。飲酒開始をｔ＝０、本実施形態の飲酒ペース管理装置１０使用時をｔ＝Ｘｔ、ｔ＝Ｘｔでのアルコール摂取量をＴａ、飲酒終了時間をＰｔ、最大許容アルコール摂取量をＰａ、飲酒開始から飲酒終了後所定時間経過後に開始するスケジュールの開始時刻までの時間をスケジュール時間Ｓｔ、アルコール摂取ペースをＴｐ、及び分解能をＤｐとして示している。
【００２４】
アルコール摂取量は、実際に摂取したアルコールの量で、アルコール蓄積量は、アルコール摂取量から飲酒時間×分解能を引いた量であり、体内に蓄積されているアルコールの量を表している。アルコール摂取ペースＴｐは単位時間あたりのアルコール摂取量であり、分解能Ｄｐは単位時間あたりのアルコール蓄積量の減少量である。
【００２５】
アルコールの影響を残したくないｔ＝Ｓｔの時点でアルコール蓄積量を０とするためには、アルコール摂取ペースＴｐで飲酒時間Ｐｔ飲酒した場合のアルコール摂取量を分解能Ｄｐでスケジュール時間Ｓｔの間に全て分解できればよい。すなわち、
（Ｔｐ−Ｄｐ）×Ｐｔ＝Ｄｐ×Ｓｔ
Ｐｔ＝（Ｄｐ×Ｓｔ）／（Ｔｐ−Ｄｐ）  ・・・・・（１）
となる。許容飲酒時間ＰＴは、
ＰＴ＝Ｐｔ−Ｘｔ                        ・・・・・（２）
であるので、式（１）を式（２）に代入して、
ＰＴ＝（Ｄｐ×Ｓｔ）／（Ｔｐ−Ｄｐ）−Ｘｔ  ・・・（３）
となる。
【００２６】
次に、飲酒終了時ｔ＝Ｐｔからｔ＝Ｓｔまでの間に分解できるアルコール量を最大許容アルコール摂取量Ｐａとすると、
Ｐａ＝Ｐｔ×Ｔｐ                        ・・・・・（４）
となる。式（１）を式（４）に代入して、
Ｐａ＝Ｄｐ×Ｓｔ×Ｔｐ／（Ｔｐ−Ｄｐ）    ・・・・（５）
残り許容アルコール摂取量ＰＡは、
ＰＡ＝Ｐａ−Ｔａ                        ・・・・・（６）
であるので、式（５）を式（６）に代入して、
ＰＡ＝{Ｄｐ×Ｓｔ×Ｔｐ／（Ｔｐ−Ｄｐ）}−Ｔａ  ・・（７）
となる。
【００２７】
（第１の実施形態の作用）
【００２８】
図３を参照して、残り許容アルコール摂取量ＰＡ及び許容飲酒時間ＰＴ算出の処理ルーチンについて説明する。飲酒ペース管理装置１０の操作部１２の電源スイッチをオンにすることで本ルーチンをスタートする。
【００２９】
ステップ１００で、ＬＣＤ２２に例えば図４に示すようなメニュー画面を表示する。メニュー画面には、分解能及びスケジュールを登録する処理を選択するための登録ボタン２４、及び飲酒を開始して残り許容アルコール摂取量ＰＡ及び許容飲酒時間ＰＴを算出する処理を選択するための飲酒開始ボタン２６が表示される。分解能及びスケジュールの登録は、飲酒時に関係なく随時行うことができる。
【００３０】
次にステップ１０２で、飲酒を開始したか否かを判断する。操作部１２の十字カーソルキー及び決定キーの操作によりメニュー画面から飲酒開始ボタン２６が選択された場合には、肯定されてステップ１０４へ進む。登録ボタン２４が選択された場合には、否定されてステップ１０８へ進む。
【００３１】
ステップ１０４で、メモリ２０に分解能Ｄｐ及びスケジュールの登録がされているか否かを判断する。分解能Ｄｐ及びスケジュールは、残り許容アルコール摂取量ＰＡ及び許容飲酒時間ＰＴを算出する上で必要なデータであるので、登録がない場合は、ステップ１０６へ進んで、分解能Ｄｐ及びスケジュールの登録を促す旨のメッセージを表示する。例えば、「分解能及びスケジュールの登録がありません。メニュー画面から『分解能、スケジュール登録』を選択して、分解能及びスケジュールを登録してください。」のようなメッセージを表示してステップ１００へ戻る。
【００３２】
ステップ１０２で、登録ボタン２４を選択した場合は、ステップ１０８へ進んで、分解能Ｄｐを算出するために必要なデータを入力する画面を表示する。分解能Ｄｐは、単位時間あたりに分解できるアルコール量で表される値であり、分解能Ｄｐの値を直接入力するようにしてもよいが、分解能Ｄｐは、体重や体質に影響される値であるため、本実施の形態では、簡易的に体重や体質の情報を入力して、分解能Ｄｐを算出する。
【００３３】
例えば、図５に示すような分解能Ｄｐ算出用データ入力画面を表示する。分解能Ｄｐ算出用データ入力画面には、体質としてお酒に酔い易いか酔い難いかで判断して、「強い」、「普通」、及び「弱い」を選択するための体質選択領域２８と、使用者の体重を入力するための体重入力領域３０と、次のメニューへ進むためのボタン３２と、入力したデータを基に分解能Ｄｐを算出して登録するための分解能Ｄｐ更新ボタン３４とが表示される。
【００３４】
次に、ステップ１１０で、分解能Ｄｐ算出用データが入力されたか否かを判断する。体質選択領域２８の何れかの体質が選択され、体重入力領域３０に体重が入力された状態で更新ボタン３４が選択されることにより、肯定されてステップ１１２へ進む。次のメニューへ進むためのボタン３２が選択された場合、またはデータが入力されていない状態で更新ボタン３４が選択された場合には、ステップ１１４へ進む。
【００３５】
ステップ１１２で、入力されたデータに基づいて分解能Ｄｐを算出し、算出した分解能Ｄｐをメモリ２０に記憶する。分解能Ｄｐは、体質ごとに予め求めた（分解能）／（体重）の平均値を平均分解能としてメモリ２０に記憶しておき、（選択された体質の平均分解能）×（入力された体重）で算出する。既にメモリ２０に分解能Ｄｐが記憶されている場合は、記憶されている分解能Ｄｐを新たに算出された分解能Ｄｐに更新して登録する。
【００３６】
次に、ステップ１１４で、スケジュールを入力するための画面を表示する。スケジュール入力画面には、例えば図６に示すように、スケジュールの開始時刻を入力するための開始時刻領域３６、スケジュールの内容を入力するための内容領域３８、スケジュールの内容に応じて飲酒の影響が残っていても良いか悪いかの選択をするための影響選択領域４０、メニュー画面へ戻るためのボタン４２、引き続き別のスケジュールを登録するためのボタン４４、及び入力したスケジュールを更新するためのスケジュール更新ボタン４６が表示される。
【００３７】
次に、ステップ１１６で、スケジュールの入力がされたか否かを判断する。スケジュール入力画面の開始時刻領域３６へスケジュールの開始時刻が入力され、影響選択領域４０の何れかが選択された状態で引き続き別のスケジュールを登録するためのボタン４４または更新ボタン４６が選択されることにより、肯定されてステップ１１８へ進む。メニュー画面へ戻るためのボタン４２が選択された場合、または開始時刻の入力、及び飲酒の影響が選択されていない状態で別のスケジュールを登録するためのボタン４４または更新ボタン４６が選択された場合は、ステップ１００へ戻る。
【００３８】
ステップ１１８で、入力された内容を一旦ＲＡＭ１４に記憶してから、メモリ２０に記憶されたスケジュールを更新するか否かを判断する。ステップ１１６で選択されたボタンが別のスケジュールを登録するためのボタン４４の場合には、引き続き次のスケジュールを登録するために、ステップ１１４へ戻ってスケジュール入力画面を表示する。更新ボタン４６が選択された場合には、ステップ１２０へ進んで、ＲＡＭ１４に記憶した内容をメモリ２０に追加して記憶し、スケジュールを更新し、ステップ１００へ戻る。
【００３９】
ステップ１０２で、飲酒開始ボタン２６が選択され、ステップ１０４で、分解能Ｄｐ及びスケジュールの登録有りと判断された場合には、ステップ１２２へ進んで、飲酒時間を計測するためにカウンタをスタートさせる。
【００４０】
次に、ステップ１２４で、アルコール摂取量Ｔａを算出するためのアルコール摂取量Ｔａ算出用データ入力画面を表示する。アルコール摂取量Ｔａは、アルコール飲料に含まれる純アルコール量のことで、これを直接入力してもよいが、本実施の形態では、アルコール飲料の種類と摂取量を入力し、これらに基づいてアルコール摂取量を算出する。アルコール摂取量Ｔａ算出用データ入力画面には、例えば、図７に示すように、アルコール飲料の種類を選択する種類選択領域４８、アルコール飲料の種類に応じて摂取量を入力するための摂取量入力領域５０、及び次の処理へ進むための確認ボタン５２が表示される。種類選択領域４８は、例えば、プルダウンで表示される「ビール」、「日本酒」、「ワイン」等のアルコール飲料の種類を選択するようになっており、選択された種類に応じて「本」、「合」、「杯」等の単位が摂取量入力領域５０に表示される。例えば、日本酒を２合摂取した場合には、種類選択領域４８のプルダウン表示から「日本酒」を選択し、摂取量入力領域５０に表示された「合」の前に「２」と入力する。
【００４１】
次に、ステップ１２６で、アルコール摂取量Ｔａを算出するためのデータが入力されたか否かを判断する。種類選択領域４８でアルコール飲料の種類が選択され、摂取量入力領域５０に選択したアルコールの種類に応じて摂取量が入力された状態で確認ボタン５２が選択されることにより、肯定されてステップ１２８へ進む。入力されない場合は、入力されるまで待機する。
【００４２】
次に、ステップ１２８で、入力されたアルコール飲料の種類と摂取量に基づいて、アルコール摂取量Ｔａを算出する。アルコール飲料の種類と種類に応じた単位当たりのアルコール量とがメモリ２０に記憶されており、（選択されたアルコール飲料の種類に応じた単位当たりのアルコール量）×（入力された摂取量）でアルコール摂取量Ｔａを算出する。選択されたアルコール飲料の種類、摂取量、及び算出されたアルコール摂取量Ｔａは一旦ＲＡＭ１４に記憶される。
【００４３】
次に、ステップ１３０で、タイマから飲酒時間Ｘｔ、及びメモリ２０から分解能Ｄｐを取得して、次のステップ１３２へ進んで、（ＲＡＭ１４に記憶されたアルコール摂取量Ｔａ）／（飲酒時間Ｘｔ）でアルコール摂取ペースＴｐを算出する。
【００４４】
次に、ステップ１３４で、メモリ２０に記憶されているスケジュールを参照して、飲酒の影響を残してはいけないスケジュールで、かつスケジュールの開始時刻が一番近いスケジュールを検索し、飲酒開始時点からスケジュール開始時刻までの時間で表されるスケジュール時間Ｓｔを算出する。
【００４５】
次に、ステップ１３６へ進んで、前述の式（３）に、分解能Ｄｐ、スケジュール時間Ｓｔ、アルコール摂取ペースＴｐ、及び飲酒時間Ｘｔの値を代入して、許容飲酒時間ＰＴを算出し、式（７）に分解能Ｄｐ、スケジュール時間Ｓｔ、アルコール摂取ペースＴｐ、及びアルコール摂取量Ｔａの値を代入して、残り許容アルコール摂取量ＰＡを算出する。
【００４６】
次に、ステップ１３８で、許容飲酒時間ＰＴ及び残り許容アルコール摂取量ＰＡが０より大きいか否かを判断する。大きい場合には、ステップ１４０へ進んで、算出結果を表示する。算出結果の表示画面には、例えば、図８に示すように、算出結果を表示する結果表示領域５４、飲酒を継続する場合に選択する継続ボタン５６、及び飲酒を終了する場合に選択する終了ボタン５８が表示される。許容飲酒時間ＰＴ及び残り許容アルコール摂取量ＰＡが０以下の場合には、スケジュール開始時刻までに分解しきれない量のアルコールを既に摂取しているので、ステップ１４２へ進んで、その旨の警告を表示し、ステップ１４６へ進む。
【００４７】
次に、ステップ１４４で、飲酒を終了するか否かを判断する。算出結果の表示画面の継続ボタン５６が選択された場合には、飲酒時間を計測するタイマのカウントを継続させたまま、ステップ１２４へ戻って、アルコール摂取量Ｔａ算出用データ入力画面を表示する。この際、前回入力した内容をＲＡＭ１４から取得して画面に表示させ、前回入力後に摂取したアルコール飲料の摂取量を追加で入力できるようにするとよい。算出結果の表示画面の終了ボタン５８が選択された場合には、ステップ１４６で、タイマをストップして処理を終了する。
【００４８】
このように、飲酒時にこれまでのアルコール飲料の摂取量を入力することにより、予め登録しておいた分解能及びスケジュールに基づいて、スケジュール開始時刻までに体内のアルコールを分解することができる許容飲酒時間及び残り許容アルコール摂取量を知ることができるため、飲酒している間に判断力が低下して限度以上のアルコールを摂取してしまい、その後のスケジュールに影響を及ぼすという事態を回避することができる。
【００４９】
［第２の実施形態］
【００５０】
第１の実施形態では、アルコール摂取量Ｔａを摂取したアルコール飲料の種類と摂取量を入力して算出する場合について説明したが、第２の実施形態では、アルコール濃度Ｔｂを検出して、アルコール摂取量Ｔａに換算する場合について説明する。なお、第２の実施形態の飲酒ペース管理装置の構成において、上記第１の実施形態の飲酒ペース管理装置１０の構成と同一の構成、及び同一の処理については同一の符号を付し、その説明を省略する。
【００５１】
（第２の実施形態の構成）
【００５２】
第２の実施形態の飲酒ペース管理装置１０は、第１の実施形態の飲酒ペース管理装置１０の構成に加え、外部情報機器６２を接続するための外部インターフェース（Ｉ／Ｆ）６０、及び呼気中のアルコール濃度を検出するためのアルコールセンサ６４を備えている。
【００５３】
（第２の実施形態の作用）
【００５４】
図１０を参照して、残り許容アルコール摂取量ＰＡ及び許容飲酒時間ＰＴの算出の処理ルーチンについて、第１の実施形態と異なる点について説明する。
【００５５】
ステップ１０２で飲酒開始ボタン２６が選択され、ステップ１０４及びステップ１２２を経由して、ステップ２０８へ進む。ステップ２０８で、アルコール濃度の検出を促すメッセージ、例えば、「アルコールセンサに息を吹きかけてください。」等のメッセージを表示する。
【００５６】
次に、ステップ２１０で、アルコール濃度Ｔｂを検出したか否かを判断する。アルコールセンサに所定時間呼気が吹きかけられ、アルコール濃度Ｔｂを検出することができた場合には、ステップ１３０へ進み、タイマから飲酒時間Ｘｔ、及びメモリ２０から分解能Ｄｐを取得する。アルコール濃度Ｔｂが検出されない場合は、検出されるまで待機する。
【００５７】
次に、ステップ２１２で、アルコール濃度Ｔｂからアルコール摂取量Ｔａを算出する。まず、検出されたアルコール濃度Ｔｂを検出時点での体内のアルコール蓄積量に換算する。アルコール蓄積量は、（アルコール濃度Ｔｂ）×（使用者の体重）×（所定の換算係数ｆ）で換算する。アルコール摂取量Ｔａから分解能Ｄｐで飲酒時間Ｘｔの間に分解されるアルコール量を差し引いた量がアルコール蓄積量なので、アルコール摂取量Ｔａは、
Ｔａ＝Ｔｂ×体重×ｆ＋Ｘｔ×Ｄｐ          ・・・・・（８）
で算出される。アルコール摂取量Ｔａが算出されたら、第１の実施形態と同様、ステップ１３２以降の処理を行う。
【００５８】
また、第２の実施形態では、スケジュールを入力する変わりに、飲酒ペース管理装置１０とは別にスケジュールを管理している外部情報機器からスケジュール情報を取得する。
【００５９】
ステップ１０２で、登録ボタン２４を選択して、ステップ１０８〜ステップ１１２を経由して、ステップ２００へ進み、スケジュールを更新するか否かを確認する画面を表示する。例えば、図１１に示すようなメッセージ画面を表示する。メッセージ画面には、スケジュールを更新する場合に選択する取得ボタン６６、及びキャンセルボタン６８が表示される。メッセージは、例えば、「スケジュールを更新する場合は、情報機器を接続して『取得』を選択してください。」のように、外部情報機器の接続を促すメッセージとする。
【００６０】
次に、ステップ２０２で、スケジュールを更新するか否かを判断する。メッセージ画面の取得ボタン６６が選択された場合には、肯定されて、ステップ２０４へ進み、キャンセルボタン６８が選択された場合は、ステップ１００へ戻る。
【００６１】
ステップ２０４で、外部Ｉ／Ｆ６０を介して接続され外部情報機器６２からスケジュール情報を取得して、ステップ２０６に進んで、メモリ２０に記憶されたスケジュールを更新して、ステップ１００へ戻る。
【００６２】
このように、アルコールセンサ６４で検出するアルコール濃度Ｔｂからアルコール摂取量Ｔａを算出するため、摂取したアルコールの種類及び摂取量を入力する手間がなく、また、酔って判断力が低下していても、正確にアルコール摂取量Ｔａを算出することができるため、許容飲酒時間ＰＴ及び残り許容アルコール摂取量ＰＡについても正確な算出結果を得ることができる。また、外部情報機器からスケジュールを取得するため、スケジュール管理の重複を避けることができる。
【００６３】
なお、第２の実施の形態では、アルコール濃度の検出方法として、呼気中のアルコール濃度を検出する場合について説明したが、皮膚表面や血中からアルコール濃度を検出してもよい。
【００６４】
また、アルコール濃度は、飲酒後３０分〜９０分後にピーク値を示す性質があるため、飲酒終了後にアルコール濃度が上昇することを考慮した遅延時間Ｄｔ（例えば３０分）を、式（３）から差し引いて許容飲酒時間ＰＴとしてもよい。
【００６５】
また、第１の実施形態及び第２の実施形態では、飲酒ペース管理装置１０が単体の装置である場合について説明したが、本発明の飲酒ペース管理プログラムを携帯電話のアプリケーションや腕時計の機能の１つとして組み込んでもよい。
【００６６】
また、第１の実施形態及び第２の実施形態では、飲酒ペース管理装置１０に飲酒ペース管理プログラムを記憶した例について説明したが、ネットワークに接続されたサーバに飲酒ペース管理プログラムを記憶しておき、携帯電話等の情報端末から分解能Ｄｐ、アルコール摂取量Ｔａ、スケジュール等を入力し、サーバで算出した許容飲酒時間ＰＴ及び残り許容アルコール摂取量ＰＡを携帯電話等の情報端末に送信して表示するようにしてもよい。
【００６７】
また、第１の実施形態及び第２の実施形態では、ある程度アルコールを摂取した時点で許容飲酒時間ＰＴ及び残り許容アルコール摂取量ＰＡを算出する場合について説明したが、アルコール摂取量が０の時点で算出しようとすると、アルコール摂取ペースＴｐが０となるため、許容飲酒時間ＰＴ及び残り許容アルコール摂取量ＰＡが算出できない。その場合には、過去のアルコール摂取量のデータから、平均のアルコール摂取ペースを算出しておき、暫定的にその値を使用するようにするとよい。
【図面の簡単な説明】
【００６８】
【図１】第１の実施形態の飲酒ペース管理装置１０の構成を示すブロック図である。
【図２】経過時間ｔとアルコール摂取量及びアルコール蓄積量の関係を示すグラフである。
【図３】第１の実施形態の残り許容アルコール摂取量ＰＡ及び許容飲酒時間ＰＴの算出の処理ルーチンを示すフローチャートである。
【図４】メニュー画面の一例を示す図である。
【図５】分解能Ｄｐ算出用データ入力画面の一例を示す図である。
【図６】スケジュール入力画面の一例を示す図である。
【図７】アルコール摂取量Ｔａ算出用データ入力画面の一例を示す図である。
【図８】算出結果の表示画面の一例を示す図である。
【図９】第２の実施形態の飲酒ペース管理装置１０の構成を示すブロック図である。
【図１０】第２の実施形態の残り許容アルコール摂取量ＰＡ及び許容飲酒時間ＰＴの算出の処理ルーチンを示すフローチャートである。
【図１１】スケジュール更新メッセージ表示画面の一例を示す図である。
【符号の説明】
【００６９】
１０   飲酒ペース管理装置
１２   操作部
１４   ＲＡＭ
１６   ＣＰＵ
１８   ＲＯＭ
２０   メモリ
２２   ＬＣＤ
６０   外部Ｉ／Ｆ
６２   外部情報機器
６４   アルコールセンサ
【図１】
2009150989.tif 000003
【図２】
2009150989.tif 000004
【図３】
2009150989.tif 000005
【図４】
2009150989.tif 000006
【図５】
2009150989.tif 000007
【図６】
2009150989.tif 000008
【図７】
2009150989.tif 000009
【図８】
2009150989.tif 000010
【図９】
2009150989.tif 000011
【図１０】
2009150989.tif 000012
【図１１】
2009150989.tif 000013